(57)【要約】【課題】  取扱い性に優れ、簡易に設置することができるとともに、様々な設置現場に適切に対応することができる作業用テントにて、風雨時でも作業を確保する。【解決手段】  作業用テント１０は、屋上、バルコニー等の構造物１に着脱自在に取り付けられる支持部材１２と、この支持部材１２に支持されるフレーム１４と、このフレーム１４を覆うように設置されるシート１６とを備えている。フレーム１４は、相互に着脱自在に連結される複数の支柱材１８を組み付けて形成される。作業用テント１０は、複数の支柱材１８に跨って設置されて複数の支柱材１８間の距離を調整してフレーム１４を湾曲させる湾曲手段２６を更に備えている。この湾曲手段２６は、複数の支柱材１８に跨って架けられて複数の支柱材１８が相互に接近するように締め付ける締め付けベルト２８から成っている。【選択図】        図１
2011084875.tif 000002
【特許請求の範囲】
【請求項１】
屋上、バルコニー等の構造物に着脱自在に取り付けられる支持部材と、前記支持部材に支持されるフレームと、前記フレームを覆うように設置されるシートとを備えた作業用テントであって、前記フレームは、相互に着脱自在に連結される複数の支柱材を組み付けて形成され、前記作業用テントは、前記複数の支柱材に跨って設置されて前記複数の支柱材間の距離を調整して前記フレームを湾曲させる湾曲手段を更に備えていることを特徴とする作業用テント。
【請求項２】
請求項１に記載された作業用テントであって、前記支持部材は、前記構造物への防水工事等の工事作業において前記工事作業の対象面以外の箇所に取り付けられることを特徴とする作業用テント。
【請求項３】
請求項１又は請求項２のいずれかに記載された作業用テントであって、前記湾曲手段は、前記複数の支柱材に跨って架けられて前記複数の支柱材が相互に接近するように締め付ける紐状部材から成っていることを特徴とする作業用テント。
【請求項４】
請求項３に記載された作業用テントであって、前記紐状部材は、前記締め付け長さが調整可能であることを特徴とする作業用テント。
【請求項５】
請求項１乃至請求項４のいずれかに記載された作業用テントであって、前記フレームは、湾曲させるべき両端支柱材の間にも少なくとも単数又は複数の中間支柱材も湾曲して配置して格子状に形成されていることを特徴とする作業用テント。
【請求項６】
請求項１乃至請求項５のいずれかに記載された作業用テントであって、前記フレームのうち、少なくとも前記湾曲手段により湾曲させるべき支柱材は可撓性を有することを特徴とする作業用テント。
【請求項７】
請求項１乃至請求項６のいずれかに記載された作業用テントであって、前記フレームは、前記湾曲させるべき支柱材に交差する方向に配置された複数の交差方向支柱材も有し、前記複数の交差方向支柱材のうち前記湾曲方向の中間に配置された交差方向支柱材を前記湾曲手段により変位させて前記フレームの一部を湾曲させた後、前記湾曲方向の終端部に配置された交差方向支柱材を前記湾曲手段により変位させて前記フレームの他の一部を湾曲させて形成されていることを特徴とする作業用テント。
【請求項８】
請求項７に記載された作業用テントであって、前記フレームは、前記湾曲方向の端部に配置された交差方向支柱材を湾曲させた後に、前記湾曲方向の中間に配置された交差方向支柱材を変位させている湾曲手段を解除して形成されていることを特徴とする作業用テント。
【請求項９】
請求項１乃至請求項８のいずれかに記載された作業用テントであって、前記複数の支柱材は、十字状の連結材を介して連結されていることを特徴とする作業用テント。
【発明の詳細な説明】
【技術分野】
【０００１】
本発明は、例えば、ビル等の屋上等の構造物に防水シートを敷設する等して防水工事作業をする際に、雨天時等においても工事作業を円滑に行うための作業用テントの改良に関し、特に、様々な作業箇所に適切に、かつ、簡易に対応して作業を確保することに関するものである。
【背景技術】
【０００２】
例えば、オフィスビルや学校、住宅等の屋上、バルコニー、ベランダ等の風雨に曝される構造物には、当該構造物の躯体や断熱材等の上に防水シートを敷設して、防水工事をすることが一般的である。この場合、防水シートの敷設箇所は、風雨に曝される箇所である結果、工事の作業中に降雨等があった場合には、雨中での作業を避けるために、工事を中断しなければならず、工事日程が天候に大きく左右されるという問題があった。
【０００３】
この場合、作業員が、風雨を気にせずに作業を行うこと自体は困難ではないとしても、防水工事という作業の性質上、設置箇所の防水性を確保するためには、また、施工面の良好な仕上がりを確保するためには、設置対象が乾燥した状態で作業を行う必要があるため、設置箇所が水に濡れた状態では作業自体を行うことができない。
【０００４】
このような事態を回避するため、ベランダやバルコニー内等に、風雨が侵入しないように、雨除けのための手段が種々提案されている。その一つとして、ベランダの床面から天井にかけて支持体を設置し、当該支持体にシート又はカーテンを取り付けることが提案されている（例えば、特許文献１、２等参照）。しかし、防水工事は、床面を対象に行われるのが一般的であるため、このように床面に支持体を設置すると、当該箇所については防水作業を行うことができないと同時に、床面を損傷するおそれがある。
【０００５】
この点、構造物側に設置されている係止部や物干し竿等を利用して、シートやカーテンを設置することも提案されている（例えば、特許文献３、４等参照）。この手段によれば、確かに、床面への作業には支障がないが、係止部や物干し竿等が存在しない構造物には適用することができず、様々な箇所への防水工事に対応することができない問題がある。
【０００６】
更には、防水工事の施工箇所は、一律ではなく、現場によって形状や寸法が異なるため、様々な現場に適切に対応できることが肝要となる。加えて、防水工事は、通常、作業者が、現場に赴いて行うため、雨除けのための手段の収納や運搬が困難であったり、設置に手間を要すると、適切に対応することができない問題がある。
【先行技術文献】
【特許文献】
【０００７】
【特許文献１】特開平１１−７６６８９号公報
【特許文献２】特開２００１−２６２８０１号公報
【特許文献３】特開平６−１４６５１３号
【特許文献４】実用新案登録第３０５４９０９号公報
【発明の概要】
【発明が解決しようとする課題】
【０００８】
本発明が解決しようとする課題は、上記の問題点に鑑み、取扱い性に優れ、簡易に設置することができるとともに、様々な設置現場に適切に対応して、風雨時でも作業を確保することができる作業用テントを提供することにある。
【課題を解決するための手段】
【０００９】
本発明は、上記の課題を解決するための第１の手段として、屋上、バルコニー等の構造物に着脱自在に取り付けられる支持部材と、この支持部材に支持されるフレームと、このフレームを覆うように設置されるシートとを備えた作業用テントであって、フレームは、相互に着脱自在に連結される複数の支柱材を組み付けて形成され、作業用テントは、複数の支柱材に跨って設置されて複数の支柱材間の距離を調整してフレームを湾曲させる湾曲手段を更に備えていることを特徴とする作業用テントを提供するものである。
【００１０】
本発明は、上記の課題を解決するための第２の手段として、上記第１の解決手段において、支持部材は、構造物への防水工事等の工事作業において工事作業の対象面以外の箇所に取り付けられることを特徴とする作業用テントを提供するものである。
【００１１】
本発明は、上記の課題を解決するための第３の手段として、上記第１又は第２のいずれかの解決手段において、湾曲手段は、複数の支柱材に跨って架けられて複数の支柱材が相互に接近するように締め付ける紐状部材から成っていることを特徴とする作業用テントを提供するものである。
【００１２】
本発明は、上記の課題を解決するための第４の手段として、上記第３の解決手段において、紐状部材は、締め付け長さが調整可能であることを特徴とする作業用テントを提供するものである。
【００１３】
本発明は、上記の課題を解決するための第５の手段として、上記第１乃至第４のいずれかの解決手段において、フレームは、湾曲させるべき両端支柱材の間にも少なくとも単数又は複数の中間支柱材も湾曲して配置して格子状に形成されていることを特徴とする作業用テントを提供するものである。
【００１４】
本発明は、上記の課題を解決するための第６の手段として、上記第１乃至第５のいずれかの解決手段において、フレームのうち、少なくとも湾曲手段により湾曲させるべき支柱材は可撓性を有することを特徴とする作業用テントを提供するものである。
【００１５】
本発明は、上記の課題を解決するための第７の手段として、上記第１乃至第６のいずれかの解決手段において、フレームは、湾曲させるべき支柱材に交差する方向に配置された複数の交差方向支柱材も有し、複数の交差方向支柱材のうち湾曲方向の中間に配置された交差方向支柱材を湾曲手段により変位させてフレームの一部を湾曲させた後、湾曲方向の終端部に配置された交差方向支柱材を湾曲手段により変位させてフレームの他の一部を湾曲させて形成されていることを特徴とする作業用テントを提供するものである。
【００１６】
本発明は、上記の課題を解決するための第８の手段として、上記第７の解決手段において、フレームは、湾曲方向の端部に配置された交差方向支柱材を湾曲させた後に、湾曲方向の中間に配置された交差方向支柱材を変位させている湾曲手段を解除して形成されていることを特徴とする作業用テントを提供するものである。
【００１７】
本発明は、上記の課題を解決するための第９の手段として、上記第１乃至第８のいずれかの解決手段において、複数の支柱材は、十字状の連結材を介して連結されていることを特徴とする作業用テントを提供するものである。
【発明の効果】
【００１８】
本発明によれば、上記のように、可撓性を有し相互に着脱自在に連結される複数の支柱材を格子状に組み付けてフレームを形成しているため、分解して容易に収納・運搬することができる一方、現場で簡易に組み付けることができる実益がある上に、特に、連結個数を調整することにより、また、湾曲手段により複数の支柱材間の距離を調整してフレームを湾曲させることができるため、様々な寸法の現場に適切に対応することができるとともに、湾曲して設置されたフレームにシートを取り付けることで雨水がシートに溜まらずに効率的に除水することができる実益がある。
【００１９】
本発明によれば、上記のように、支持部材を構造物への防水工事等の工事作業において工事作業の対象面以外の箇所に取り付けているため、依頼者の所有物である作業対象面を損傷させることがないと同時に、作業用テントが防水工事の支障となることがなく、風雨を除けつつ、円滑に工事作業を行うことができる実益がある。
【００２０】
本発明によれば、上記のように、湾曲させるべき両端支柱材の間にも中間支柱材を湾曲して配置しているため、この中間支柱材によりシート中央部に雨溜まりが発生することを防止することができ、適切に雨除けをすることができると同時に、雨溜まりによりシートに不必要な荷重が負荷されて作業用テントの信頼性を損ねることがない実益がある。
【００２１】
本発明によれば、上記のように、複数の交差方向支柱材のうち湾曲方向の中間に配置された交差方向支柱材を湾曲手段により変位させてフレームの一部を湾曲させた後、湾曲方向の終端部に配置された交差方向支柱材を湾曲手段により変位させてフレームの他の一部を湾曲させてフレームを形成しているため、湾曲作業を容易に行うことができるとともに、フレーム全体の曲率を適切に設定することが容易となる実益がある。
【００２２】
本発明によれば、上記のように、十字状の連結材を介して複数の支柱材を連結しているため、簡易に組み付け作業を行うことができる実益がある。
【図面の簡単な説明】
【００２３】
【図１】本発明の作業用テントの概略斜視図である。
【図２】本発明に用いられる支持部材を対象物に取り付ける状態を示す斜視図である。
【図３】本発明に用いられる支持部材の拡大断面図である。
【図４】本発明に用いられる連結材に支柱材を連結する状態を示し、同図（Ａ）は、その概略斜視図、同図（Ｂ）はその正面図、同図（Ｃ）はその断面図である。
【図５】本発明に用いられる横方向第１支柱材を支持部材に取り付けられたベースパイプに連結する状態、同図（Ａ）は横方向第１支柱材をベースパイプに差し込む状態の概略斜視図、同図（Ｂ）は横方向第１支柱材を支持部材に固定する状態の斜視図である。
【図６】本発明に用いられる支柱材を連結する状態を示し、同図（Ａ）は横方向第１支柱材に縦方向第１支柱材を連結する状態の斜視図、同図（Ｂ）は縦方向第１支柱材に横方向第２支柱材を連結する状態の斜視図である。
【図７】本発明に用いられる湾曲手段である締め付けベルトを示し、同図（Ａ）はその概略斜視図、同図（Ｂ）は締め付けベルトの支柱材への取付部の拡大斜視図である。
【図８】本発明に用いられる湾曲手段である締め付けベルトにより、横方向中間支柱材を変位させて縦方向第１支柱材を湾曲させる状態の斜視図である。
【図９】本発明に用いられる横方向中間支柱材に縦方向第２支柱材及び横方向第２支柱材を連結する状態の斜視図である。
【図１０】本発明に用いられる湾曲手段である締め付けベルトにより、横方向第２支柱材を変位させて縦方向支柱材を湾曲させる状態の斜視図である。
【図１１】本発明に用いられるフレームにシートを被せる状態の概略斜視宇図である。
【発明を実施するための形態】
【００２４】
本発明の実施の形態を図面を参照しながら詳細に説明すると、図１は、本発明の作業用テント１０を示し、この作業用テント１０は、図１に示すように、例えば、マンションやアパート、戸建て等の居住用、また学校の校舎等の事業用のベランダやバルコニー等の構造物１に使用するのに特に適し、これらの床面への防水工事の対象となる構造物１を風雨から保護して、特に雨中等での防水工事を円滑に行う目的で使用されるものである。但し、その設置箇所には、特に限定はなく、バルコニーやベランダ以外の、例えば、屋根や、また、防水工事以外の工事の対象となる構造物１に使用することもでき、更には、必ずしも作業目的以外の目的で使用することを妨げるものではない。
【００２５】
この作業用テント１０は、図１及び図１１に示すように、屋上、バルコニー等の構造物１に着脱自在に取り付けられる支持部材１２と、この支持部材１２に支持されるフレーム１４と、このフレーム１４を覆うように設置されるシート１６とを備えている。
【００２６】
（１．支持部材）
支持部材１２は、図示の実施の形態では、特に図２及び図３に示すように、相互に着脱自在に連結される面ファスナー１２Ａに取り付けられた一対の養生材１２Ｂと、この養生材１２Ｂを設置対象に締め付けるクランプ１２Ｃとを備えている。
【００２７】
この支持部材１２は、構造物１への防水工事等の工事作業において工事作業の対象面以外の箇所に取り付けられる。具体的には、ベランダやバルコニー等の防水工事は、その床面を対象に行われるため、支持部材１２は、図２に示すように、バルコニーやベランダの腰壁１ａやパラペットに跨って設置される。これにより作業対象である床面には、雨除けのための部材が存在することがなく、作業用テント１０が防水工事の支障となるのを回避することができる。
【００２８】
この場合、支持部材１２の取付対象となる腰壁１ａやパラペットの肉厚や幅は必ずしも一定ではなく、設置現場毎に異なる。従って、特に図３に示すように、一対の養生材１２Ｂを腰壁１ａの表裏両面にあてがった後、壁面に沿って養生材１２Ｂに連結している面ファスナー１２Ａを設置して相互に密着させることにより、養生材１２Ｂを様々な肉厚や幅を有する腰壁１ａやパラペットに適切に密接させて配置することができる。
【００２９】
このようにして設置された１対の養生材１２Ｂは、図２に示すように、更に、クランプ１２Ｃにより、腰壁１ａに締め付けられて固定される。この場合、クランプ１２Ｃは、腰壁１ａ等に固定されるため、依頼者の所有物である作業対象面（床面）を損傷させることがなく、養生材１２Ｂを介しているため、腰壁１ａも損傷させることがない。なお、この養生材１２Ｂとしては、樹脂製のパッド等を使用することができる。
【００３０】
また、このクランプ１２Ｃには、図２に示すように、フレーム１４が差し込まれるパイプ状の支持受け１２Ｄが設置されている。支持部材１２は、この支持受け１２Ｄにより、フレーム１４を支持する。なお、この支持部材１２は、少なくとも２カ所に、好ましくは３カ所以上に、より具体的には、設置現場の幅等に応じて設定される後述の縦方向支柱材１８Ａ、縦方向中間支柱材１８Ｂ、ひいては、湾曲手段２６を設置すべき箇所及び個数に対応した箇所及び個数に設置する。なお、支持部材１２間の間隔は、フレーム１４全体の強度を考慮すると１ｍ前後に設定することが好ましい。
【００３１】
この場合、図１及び図１１に示すように、次に述べるフレーム１４（縦方向支柱材１８Ａ）は、一般的にはバルコニーやベランダのうち、構造物１と平行に設置された長手方向の腰壁１ａ（コの字状の腰壁１ａのうち、相対向する面がない腰壁１ａ）から軒下に向けて設置されるため、支持部材１２も、当該長手方向の腰壁１ａに設置することになる。但し、必ずしも、図１及び図１１に示す形態には限られず、支持部材１２は、長手方向及び横手方向の双方の腰壁１ａに取り付けることもできるし、相対向する横手方向の腰壁１ａにのみ支持部材１２を取り付けて作業用テント１０を横手方向の腰壁１ａ間にアーチ状に設置することもできる。
【００３２】
（２．フレーム）
フレーム１４は、図４乃至図１０に示すように、相互に着脱自在に連結される複数の支柱材１８から成り、これらの複数の支柱材１８を組み付けて形成される。従って、その連結個数や、各支柱材１８の長さを様々な値に設定することにより、フレーム１４の幅や高さ等を設置現場の寸法に応じて調整することができ、これにより種々の寸法の設置現場に適切に対応することができる。
【００３３】
これらの支柱材１８のうち、少なくとも後述する両端の縦方向支柱材１８Ａと縦方向中間支柱材１８Ｂは、同じく後述する湾曲手段２６により締め付けられて湾曲させる必要があるため、可撓性を有する一方、シート１６を確実に支持することができる程度の強度を有する必要がある。このような支柱材１８として、図示の実施の形態では、図４乃至図１０に示すように、塩化ビニル樹脂等から形成された中空の連結パイプを使用しているのが示されている。この連結パイプとしては、硬質塩化ビニル管を使用した場合、直径が２０ｍｍ程度、肉厚が３ｍｍ程度のものを使用すると、可撓性と強度をバランスよく実現することができるとともに、重量も嵩張らず、運搬や連結等の際の取扱い性も高まる。
【００３４】
また、これらの支柱材１８である複数の連結パイプは、図４乃至図１０に示すように、十字状の連結材２０を介して連結されている。具体的には、図４乃至図１０に示すように、十字状の連結材２０を支柱材１８である連結パイプの中空部に挿入した上で、支柱材１８である連結パイプと十字状の連結材２０とに跨って貫通する抜け止めピン２２を装着することにより、支柱材１８である複数の連結パイプを格子状に連結することができる。
【００３５】
なお、支柱材１８は、必ずしも、中空の連結パイプには限定されず、充分な可撓性及び強度を有すれば、他に、図示しない中実のステッィクを使用することもできる。この場合には、例えば、十字状の連結材２０を中空として、中実のスティックを連結材２０の中空部に挿入することにより、相互に連結してフレーム１４とすることができる。また、後述する横方向支柱材１８Ｘ及び横方向中間支柱材１８Ｙは、湾曲させる対象とはならないため、必ずしも可撓性を有する必要はないが、両端の縦方向支柱材１８Ａ及び縦方向中間支柱材１８Ｂと同様の部材、即ち、中空のパイプ、中実のスティックのいずれの形態の支柱材１８とすることもできる。この場合、後述する横方向支柱材１８Ｘ、横方向中間支柱材１８Ｙとしては、硬質塩化ビニル管を使用した場合、直径が２０ｍｍ程度、肉厚が３ｍｍ程度のものを使用することができる。
【００３６】
また、図１及び図１１に示す軒下側の端部のフレーム部分等、支柱材１８を必ずしも十字状に連結する必要がない箇所においては、図示しないＴ字状の連結材を使用することもできる。いずれにしろ、支柱材１８は、このように、連結材２０への抜き差し及び抜け止めピン２２の装着によって相互に連結されているだけであるため、フレーム１４を各支柱材１８毎に容易に分解して簡易に収納・運搬することができる一方、現場で簡易に組み付けることができる。
【００３７】
このフレーム１４は、図１及び図１１に示すように、少なくとも、構造物１の床面に交差する方向（縦方向）に湾曲して配置された両端の縦方向支柱材１８Ａと、この湾曲されるべき両端の縦方向支柱材１８Ａの上下端に連結されて両端の縦方向支柱材１８Ａに交差する方向（横方向）に配置された２つの横方向支柱材１８Ｘとを有し、これらの４つの支柱材１８により四角枠状の外形を有する。
【００３８】
また、このフレーム１４は、図示の実施の形態では、図１及び図１１に示すように、後述する湾曲手段２６により湾曲させるべき両端の縦方向支柱材１８Ａの間にも、少なくとも単数又は複数の、図示の実施の形態では、３つの縦方向中間支柱材１８Ｂをも有し、この縦方向中間支柱材１８Ｂの上下端にも２つの横方向支柱材１８Ｘを連結することにより、格子状に形成されている。この縦方向中間支柱材１８Ｂにより、シート１６の中央部が弛んでシート１６の中央部に雨溜まりが発生することを防止することができ、適切に雨除けをすることができると同時に、雨溜まりによりシート１６に不必要な荷重が負荷されて作業用テント１０の信頼性を損ねることを回避することができる。なお、この縦方向中間支柱材１８Ｂの設置個数は、作業用テント１０の設置対象となるバルコニー等の幅に合わせて、現場で適宜設定することができる。
【００３９】
一方、図示の実施の形態では、フレーム１４は、これらの両端の縦方向支柱材１８Ａ及び縦方向中間支柱材１８Ｂの上下端に連結される上下端の横方向支柱材１８Ｘの間にも横方向中間支柱材１８Ｙを有している。この横方向中間支柱材１８Ｙは、図１及び図１１に示すように、湾曲方向（縦方向）の途中に配置されて、後述する湾曲手段２６により両端の縦方向支柱材１８Ａ及び縦方向中間支柱材１８Ｂを湾曲させる際に、湾曲手段２６により横方向支柱材１８Ｘに近接するように変位して、湾曲作業を補助する役割を有する。なお、この横方向中間支柱材１８Ｙは、作業用テント１０の縦方向の設置寸法が小さい場合には、必ずしも設置する必要はない一方、当該縦方向の寸法が大きい場合には、図示の実施の形態と異なり、２つ以上設置することもできる。
【００４０】
上記のフレーム１４は、支柱材１８及び連結材２０を使用して、次のようにして構築することができる。即ち、図５に示すように、支持部材１２の支持受け１２Ｄに比較的短いベースパイプ１８ａを連結する。設置対象の軒高さが低い場合には、このベースパイプ１８ａを用いることなく、支柱材１８を支持部材１２の支持受け１２Ｄに直接連結することもできるが、特に、軒高さが高く縦方向支柱材１８Ａ、縦方向中間支柱材１８Ｂの長さを長く設定する必要がある場合には、ベースパイプ１８ａを使用することにより、後述する湾曲手段２６により湾曲されるフレーム１４の根元の強度や安定度を高めることができる。
【００４１】
一方、図５（Ａ）に示すように、複数の支柱材１８を十字状の連結材２０に同一軸線方向に連結して、複数の支持部材１２を結んだ線と平行な方向に配置される横方向第１支柱材１８Ｘ１を形成し、支柱材１８に挿入されていない側の連結材２０の突出部を上記ベースパイプ１８ａに差し込んで、横方向第１支柱材１８Ｘ１を支持部材１２に取り付ける。更に、図５（Ｂ）に示すように、この横方向第１支柱材１８Ｘ１と支持部材１２のクランプ１２Ｃとに跨って固定部材２４を取り付け、この固定部材２４を締め付けることにより、横方向第１支柱材１８Ｘ１を支持部材１２に強固に固定する。これにより、フレーム１４やシート１６等の支持部材１２からの飛散や揺れ等を防止することができる。なお、この固定部材２４としては、例えば、面ファスナー、ゴムバンド、紐等を使用することができる。
【００４２】
次に、図６（Ａ）に示すように、横方向第１支柱材１８Ｘ１における十字状の連結材２０のうち残りの突出部（ベースパイプ１８ａに挿入された突出部とは反対側の突出部）に、連結パイプ１８を差し込んで、横方向第１支柱材１８Ｘ１に交差する方向（縦方向）に複数の（図１に示す実施の形態では、５つの）連結材１８を連結して、両端の縦方向第１支柱材１８Ａ１と、縦方向第１中間支柱材１８Ｂ１を構築していく。
【００４３】
このようにして設置された両端の縦方向第１支柱材１８Ａ１及び縦方向第１中間支柱材１８Ｂ１に、更に、図６（Ｂ）に示すように、横方向第１支柱材１８Ｘ１と同様にして組み付けられた横方向中間支柱材１８Ｙの連結材２０を差し込んで、両端の縦方向第１支柱材１８Ａ１及び縦方向第１中間支柱材１８Ｂ１に、横方向中間支柱材１８Ｙを連結する。
【００４４】
（３．湾曲手段）
ここに、本発明の作業用テント１０は、図７乃至図１０に示すように、フレーム１４を湾曲させる湾曲手段２６を更に備えている。この湾曲手段２６は、図７乃至図１０に示すように、複数の支柱材１８に跨って設置されて複数の支柱材１８間の距離を調整してフレーム１４を湾曲させる。具体的には、この湾曲手段２６は、図示の実施の形態では、図７乃至図１０に示すように、複数の支柱材１８に跨って架けられて複数の支柱材１８が相互に接近するように締め付ける紐状部材、より具体的には、締め付けベルト２８から成っている。この締め付けベルト２８は、図７乃至図１０に示すように、締め付けベルト２８を任意の位置で固定することができるストッパー２８ａを有し、このストッパー２８ａにて締め付けベルト２８を所長の締め付け長さに調整、保持することができる。但し、湾曲手段２６は、締め付けベルト２８に限定されるものではなく、２つの支柱材１８間の距離を調整することができれば、他に、例えば、紐やテープ等の紐状部材を使用することもできる。
【００４５】
この場合、必要な全ての支柱材１８を組み付けてフレーム１４を構築した後に、この湾曲手段２６によりフレーム１４全体を湾曲させることもできるが、図示の実施の形態では、図６に示す横方向中間支柱材１８Ｙを設置した段階で、図７に示すように、まずは、腰壁１ａ側の横方向第１支柱材１８Ｘ１と横方向中間支柱材１８Ｙとに跨って第１の締め付けベルト２８Ａを巻き付け、次いで、図８に示すように第１の締め付けベルト２８Ａの長さを調整して、横方向中間支柱材１８Ｙを、支持部材１２に固定されている横方向第１支柱材１８Ｘ１側へ変位させることにより、横方向第１支柱材１８Ｘ１と横方向中間支柱材１８Ｙとの間に配置された両端の縦方向第１支柱材１８Ａ１及び縦方向第１中間支柱材１８Ｂ１を湾曲させる。この締め付けベルト２８Ａの締め付け長さを調整することにより、両端の縦方向第１支柱材１８Ａ１及び縦方向第１中間支柱材１８Ｂ１の湾曲の曲率を設置箇所に合わせて適切に設定することができる。
【００４６】
なお、この場合、第１の締め付けベルト２８Ａは、図７乃至図１０に示すように、両端の縦方向第１支柱材１８Ａ１及び縦方向第１中間支柱材１８Ｂ１の近傍において、より具体的には、連結材２０と抜け止めピン２２との間において、横方向第１支柱材１８Ｘ１と横方向中間支柱材１８Ｙに跨って架けることが好ましい。両端の縦方向第１支柱材１８Ａ１及び縦方向第１中間支柱材１８Ｂ１との中間において跨らせると、横方向第１支柱材１８Ｘ１と横方向中間支柱材１８Ｙに不必要な負荷がかかり破損するおそれがある一方、両端の縦方向第１支柱材１８Ａ１及び縦方向第１中間支柱材１８Ｂ１の近傍であれば両端の縦方向第１支柱材１８Ａ１及び縦方向第１中間支柱材１８Ｂ１に適切に湾曲のための負荷をかけることができるからである。
【００４７】
このようにして、両端の縦方向第１支柱材１８Ａ１及び縦方向第１中間支柱材１８Ｂ１を湾曲させた後は、図９に示すように、更に、横方向第２支柱材１８Ｘ２が連結された両端の縦方向第２支柱材１８Ａ２及び縦方向第２中間支柱材１８Ｂ２を、連結材２０に連結し、フレーム１４全体を構築する。その上で、図１０（Ａ）に示すように、湾曲方向（縦方向）の始端部に配置された横方向第１支柱材１８Ｘ１と湾曲方向（縦方向）の終端部に配置された横方向第２支柱材１８Ｘ２とに跨って、別途、第２の締め付けベルト２８Ｂを架けて締め付け長さを調整し、両端の縦方向支柱材１８Ａ（縦方向第１支柱材１８Ａ１及び縦方向第２支柱材１８Ａ２）及び縦方向中間支柱材１８Ｂ（縦方向中間支柱材１８Ｂ１及び縦方向第２中間支柱材１８Ｂ２）とを湾曲させて、フレーム１４全体の湾曲の曲率を調整する。
【００４８】
即ち、図示の実施の形態では、複数の横方向支柱材１８Ｘ、１８Ｙのうち湾曲方向の中間に配置された横方向中間支柱材１８Ｙを変位させてフレーム１４の一部を湾曲させた後、湾曲方向の終端部に配置された横方向支柱材１８Ｘを変位させてフレーム１４の他の一部を湾曲させてフレーム１４を形成する。これにより、フレーム１４全体を組み付けてから湾曲させる場合に比べ、湾曲作業が簡易になるとともに、様々な寸法の現場に対応した曲率に適切に調整することが容易となる。
【００４９】
この場合、図１０（Ｂ）に示すように、横方向第１支柱材１８Ｘ１と横方向中間支柱材１８Ｙとに跨って架けられた第１の締め付けベルト２８Ａは、湾曲方向（縦方向）の終端部に位置する横方向第２支柱材１８Ｘ２を変位させてフレーム１４全体を湾曲させた段階で初めて取り外す。即ち、湾曲方向の中間に配置された横方向中間支柱材１８Ｙを変位させている第１の締め付けベルト２８Ａは、図１０（Ａ）に示すように、フレーム１４全体を湾曲させるまで解除せず、それまでは２つの締め付けベルト２８により湾曲状態を保持され、最終的に、湾曲方向（縦方向）の始端部に配置された横方向第１支柱材１８Ｘ１と湾曲方向（縦方向）の終端部に配置された横方向第２支柱材１８Ｘ２との間に跨って設置された第２の締め付けベルト２８Ｂにより湾曲方向（縦方向）の始端部に配置された横方向第１支柱材１８Ｘ１と湾曲方向（縦方向）の終端部に配置された横方向第２支柱材１８Ｘ２との間の距離を調整してフレーム１４全体の湾曲状態を保持する。
【００５０】
従って、フレーム１４全体を湾曲させた後は、横方向中間支柱材１８Ｙは、第１の締め付けベルト２８Ａと同様に、その使命を終えるため、図１に示すように、連結材２０から取り外すことができる。なお、図示の実施の形態では、１つの横方向中間支柱材１８Ｙのみを使用したが、湾曲方向の長さに応じて、２つ以上の横方向中間支柱材１８Ｙを使用することもできる。また、締め付けベルト２８による湾曲作業のタイミングを除いては、支柱材１８の組み付け順位には、特に限定はなく、例えば、両端の縦方向第２支柱材１８Ａ２及び縦方向第２中間支柱材１８Ｂ２を連結材２０に連結した後に、終端の横方向第２支柱材１８Ｘ２を連結材２０に連結させることもできる。
【００５１】
（４．シート）
フレーム１４を形成した後は、図１及び図１１に示すように、このフレーム１４にシート１６を覆うように設置する。このシート１６は、雨除けのため、防水性を有することが望ましい。具体的には、このシート１６としては、例えば、ポリ塩化ビニル樹脂、ポリオレフィン系樹脂、エチレン酢酸ビニル共重合体等の軟質の合成樹脂や、合成ゴム系の材料等から形成された防水性を有する樹脂製のシートを使用することができ、その中でも、特に、ポリ塩化ビニル樹脂から成るシート１６が好適といえる。
【００５２】
また、このシート１６は、図１１に示すように、支持部材１２よりも外側に配置し、風圧等により飛ばないように、面ファスナー３０等の適宜な手段により、フレーム１４やバルコニーの手摺り等に固定する。これにより、作業用テント１０が完成する。
【産業上の利用可能性】
【００５３】
本発明は、例えば、マンションやアパート、戸建て等の居住用、また学校の校舎等の事業用のベランダやバルコニー等の防水工事の対象となる構造物において、防水工事作業を行う場合に広く適用することができるほか、作業目的以外の雨除けとして使用することもできる。
【符号の説明】
【００５４】
１  構造物
１ａ  構造物の腰壁
１０  作業用テント
１２  支持部材
１２Ａ  面ファスナー
１２Ｂ  養生材
１２Ｃ  クランプ
１２Ｄ  支持受け
１４  フレーム
１６  シート
１８  支柱材
１８Ａ  縦方向支柱材
１８Ａ１  縦方向第１支柱材
１８Ａ２  縦方向第２支柱材
１８Ｂ  縦方向中間支柱材
１８Ｂ１  縦方向第１中間支柱材
１８Ｂ２  縦方向第２中間支柱材
１８Ｘ  横方向支柱材
１８Ｘ１  横方向第１支柱材
１８Ｘ２  横方向第２支柱材
１８Ｙ  横方向中間支柱材
１８ａ  ベースパイプ
２０  連結材
２２  抜け止めピン
２４  固定部材
２６  湾曲手段
２８  締め付けベルト
２８Ａ  第１の締め付けベルト
２８Ｂ  第２の締め付けベルト
３０  面ファスナー
【図１】
2011084875.tif 000003
【図２】
2011084875.tif 000004
【図３】
2011084875.tif 000005
【図４】
2011084875.tif 000006
【図５】
2011084875.tif 000007
【図６】
2011084875.tif 000008
【図７】
2011084875.tif 000009
【図８】
2011084875.tif 000010
【図９】
2011084875.tif 000011
【図１０】
2011084875.tif 000012
【図１１】
2011084875.tif 000013